(57)【要約】【課題】組み立てが容易で、且つ、取付後の固定強度が高い外装部品の取付構造及びこれを用いた画像形成装置を得る。【解決手段】本発明に係る外装部品１２の取付構造及び画像形成装置の外装部品１２に形成された第１の嵌合部３８は、機械本体２に形成された第１の被嵌合部２２との嵌合時に第１の被嵌合部２２の内面に接触して外装部品１２の外側への動きを規制する第１の外側規制部４７と、第１の外側規制部４７の先端から外装部品１２に対して内方に拡がるように傾斜して第１の被嵌合部２２との嵌合動作を誘導する嵌合誘導部４５とを備え、第１の被嵌合部２２に段階的に嵌合するように構成される。外装部品１２に形成された第２の嵌合部５０は、機械本体２に形成された第２の被嵌合部２７との嵌合時に機械本体２の内面に接触して外装部品１２の外側への動きを規制する第２の外側規制部４９を備える。【選択図】図１０
2012008469.tif 000002
【特許請求の範囲】
【請求項１】
各種機械部品から成る機械本体を覆う外装部品に形成された第１の嵌合部及び第２の嵌合部を、該各嵌合部に対応して前記機械本体にそれぞれ形成された第１の被嵌合部及び第２の被嵌合部に嵌合させることにより、前記外装部品を前記機械本体に取り付けるための外装部品の取付構造であって、
前記機械本体の外面又は前記外装部品の内面に当接して前記外装部品の内側への動きを規制する内側規制部を備え、
前記第１の嵌合部は、前記第１の被嵌合部との嵌合時に該第１の被嵌合部の内面に接触して前記外装部品の外側への動きを規制する第１の外側規制部と、該第１の外側規制部の先端から前記外装部品に対して内方に拡がるように傾斜して前記第１の被嵌合部との嵌合動作を誘導する嵌合誘導部とを備え、前記第１の被嵌合部に段階的に嵌合するように構成され、
前記第２の嵌合部は、前記第２の被嵌合部との嵌合時に前記機械本体の内面に接触して前記外装部品の外側への動きを規制する第２の外側規制部を備え、
前記第１の嵌合部の嵌合誘導部を前記第１の被嵌合部に引掛け、当接させ、この当接箇所を支点に前記外装部品を前記機械本体側に回転させると、前記第１の嵌合部の前記第１の外側規制部が前記第１の被嵌合部の内面に接触して前記第１の嵌合部が前記第１の被嵌合部に嵌合すると同時に、前記第２の嵌合部の第２の外側規制部が前記機械本体の内面に接触して前記第２の嵌合部が前記第２の被嵌合部に嵌合すると共に前記内側規制部が前記機械本体の外面又は前記外装部品の内面に当接することを特徴とする外装部品の取付構造。
【請求項２】
前記第１の嵌合部には、前記外側規制部と前記嵌合誘導部の間に段差部が形成され、前記第１の嵌合部の嵌合誘導部を前記第１の被嵌合部に引掛けた後、前記段差部を前記第１の被嵌合部に当接させ、この当接箇所を支点に前記外装部品を前記機械本体側に回転させることにより、前記第１の被嵌合部に対する前記第１の嵌合部の嵌合及び前記第２の被嵌合部に対する前記第２の嵌合部の嵌合が行われることを特徴とする請求項１に記載された外装部品の取付構造。
【請求項３】
前記第１の嵌合部を挟んで前記第２の嵌合部の反対側の前記外装部品の内面に回転補助部が形成され、該回転補助部は、前記第１の嵌合部を前記第１の被嵌合部に当接させる際に前記機械本体の外面に当接し、前記第１の被嵌合部に対する前記第１の嵌合部の当接位置を規定することを特徴とする請求項１又は２に記載された外装部品の取付構造。
【請求項４】
前記外装部品には位置決めボスが突設され、前記機械本体には前記位置決めボスと嵌合可能な位置決め穴が穿設され、
前記第１の嵌合部と前記第１の被嵌合部との嵌合及び前記第２の嵌合部と前記第２の被嵌合部との嵌合に伴って、前記位置決めボスと前記位置決め穴が、前記第１の嵌合部と前記第１の被嵌合部との嵌合方向及び前記第２の嵌合部と前記第２の被嵌合部との嵌合方向とは交差する方向に嵌合するように構成されていることを特徴とする請求項１乃至３のいずれか１項に記載された外装部品の取付構造。
【請求項５】
請求項１乃至４のいずれか１項に記載された外装部品の取付構造を備えていることを特徴とする画像形成装置。
【発明の詳細な説明】
【技術分野】
【０００１】
本発明は、各種機械部品から成る機械本体に外装部品を取り付けるための外装部品の取付構造及びこれを用いた画像形成装置に関し、特に、外装部品に設けられた複数の嵌合部を機械本体に設けられた複数の被嵌合部に対して嵌合する外装部品の取付構造及びこれを用いた画像形成装置に関する。
【背景技術】
【０００２】
従来、プリンタ・複写機・ファクシミリやこれらを機能的に備えた複合機等のいわゆる電子写真方式の画像形成装置は、各種機械部品から成る機械本体（例えば、給紙デスク）に対して、この機械本体を覆う外装部品（例えば、カバーや操作パネル）を、ビス等を用いて取り付けている。しかしながら、このようにビス等を用いて外装部品を機械本体に取り付ける場合には、ビス等の別部材を外装部品、機械本体に追加して使用する分、部品点数が増加する。加えて、機械本体と外装部品にそれぞれ設けられたビス穴の位置合わせを行わなければならないため、作業者の作業負担が増大する。特に、機械本体や外装部品が樹脂材製のものである場合には、上記のビス穴の位置精度が悪化しやすく、上記位置合わせの作業が一層煩雑になる。
【０００３】
そこで、特許文献１には、外装部品の下端に突設したフックを機械本体の外周面に穿設した嵌合穴に嵌合させるとともに、外装部品の上端に突出片を突出し、この突出片に穿設した凹部を機械本体の上端に突設した凸部と係合させる構成が開示されている。また、特許文献２には、外装部品に突設した２種類の係合爪を機械本体に設けた係合溝、係合孔にそれぞれ係合させ、外装部品に突設した係止ボスを機械本体に設けた嵌合穴に嵌合させる構成が開示されている。これらの従来技術はいずれも、ビス等の別部材を用いることなく外装部品を装置本体に取り付けることを可能とする。
【先行技術文献】
【特許文献】
【０００４】
【特許文献１】実開平３−４７５５４号公報
【特許文献２】特開２００９−１６９１２２号公報
【発明の概要】
【発明が解決しようとする課題】
【０００５】
ところが、特許文献１に開示された構成では、外装部品の上端と機械本体の上端とが凹部と凸部の係合のみによって固定されているため、両部材の上端部分における固定強度が低い。そのため、外装部品を機械本体から離間させる方向に応力が作用した場合に、外装部品が機械本体から脱落してしまうことが懸念される。また、特許文献２に開示された構成では、外装部品に突設した２種類の係合爪と機械本体に設けた係合溝、係合孔を係合させる際の位置決めを補助するための手段が講じられていない。そのため、上記２種類の係合爪が離れた位置に形成されているような場合には、上記２種類の係合爪の位置決めが煩雑になり、組み立て作業の作業性が低下する虞がある。
【０００６】
そこで、本発明は上記事情を考慮し、組み立てが容易で、且つ、取付後の固定強度が高い外装部品の取付構造及びこれを用いた画像形成装置を得ることを目的とする。
【課題を解決するための手段】
【０００７】
第１発明に係る画像形成装置は、各種機械部品から成る機械本体を覆う外装部品に形成された第１の嵌合部及び第２の嵌合部を、該各嵌合部に対応して前記機械本体にそれぞれ形成された第１の被嵌合部及び第２の被嵌合部に嵌合させることにより、前記外装部品を前記機械本体に取り付けるための外装部品の取付構造であって、前記機械本体の外面又は前記外装部品の内面に当接して前記外装部品の内側への動きを規制する内側規制部を備え、前記第１の嵌合部は、前記第１の被嵌合部との嵌合時に該第１の被嵌合部の内面に接触して前記外装部品の外側への動きを規制する第１の外側規制部と、該第１の外側規制部の先端から前記外装部品に対して内方に拡がるように傾斜して前記第１の被嵌合部との嵌合動作を誘導する嵌合誘導部とを備え、前記第１の被嵌合部に段階的に嵌合するように構成され、前記第２の嵌合部は、前記第２の被嵌合部との嵌合時に前記機械本体の内面に接触して前記外装部品の外側への動きを規制する第２の外側規制部を備え、前記第１の嵌合部の嵌合誘導部を前記第１の被嵌合部に引掛け、当接させ、この当接箇所を支点に前記外装部品を前記機械本体側に回転させると、前記第１の嵌合部の第１の外側規制部が前記第１の被嵌合部の内面に接触して前記第１の嵌合部が前記第１の被嵌合部に嵌合すると同時に、前記第２の嵌合部の第２の外側規制部が前記機械本体の内面に接触して前記第２の嵌合部が前記第２の被嵌合部に嵌合すると共に前記内側規制部が前記機械本体の外面又は前記外装部品の内面に当接することを特徴とする。
【０００８】
また、前記第１の嵌合部には、前記外側規制部と前記嵌合誘導部の間に段差部が形成され、前記第１の嵌合部の嵌合誘導部を前記第１の被嵌合部に引掛けた後、前記段差部を前記第１の被嵌合部に当接させ、この当接箇所を支点に前記外装部品を前記機械本体側に回転させることにより、前記第１の被嵌合部に対する前記第１の嵌合部の嵌合及び前記第２の被嵌合部に対する前記第２の嵌合部の嵌合が行われるものであっても良い。
【０００９】
更に、前記第１の嵌合部を挟んで前記第２の嵌合部の反対側の前記外装部品の内面に回転補助部が形成され、該回転補助部は、前記第１の嵌合部を前記第１の被嵌合部に当接させる際に前記機械本体の外面に当接し、前記第１の被嵌合部に対する前記第１の嵌合部の当接位置を規定するものであっても良い。
【００１０】
更にまた、前記外装部品には位置決めボスが突設され、前記機械本体には前記位置決めボスと嵌合可能な位置決め穴が穿設され、前記第１の嵌合部と前記第１の被嵌合部との嵌合及び前記第２の嵌合部と前記第２の被嵌合部との嵌合に伴って、前記位置決めボスと前記位置決め穴が、前記第１の嵌合部と前記第１の被嵌合部との嵌合方向及び前記第２の嵌合部と前記第２の被嵌合部との嵌合方向とは交差する方向に嵌合するように形成されているものであっても良い。
【００１１】
また、本発明は上記したいずれかの構成からなる外装部品の取付構造を採用した画像形成装置とすることができる。
【発明の効果】
【００１２】
本発明の画像形成装置は、組み立てが容易で、且つ、取付後の固定強度が高い外装部品の取付構造及びこれを用いた画像形成装置を得ることを可能とする。
【図面の簡単な説明】
【００１３】
【図１】本発明の一実施形態に係る画像形成装置を示す斜視図である。
【図２】本発明の一実施形態に係る画像形成装置において、給紙デスクの内部を示す説明図である。
【図３】本発明の一実施形態に係る画像形成装置において、給紙デスク（左カバーを取り外した状態）を示す斜視図である。
【図４】本発明の一実施形態に係る画像形成装置において、左カバーを示す内面側からの斜視図である。
【図５】図４のＡ−Ａ断面図である。
【図６】図５の一部拡大図である。
【図７】本発明の一実施形態に係る画像形成装置において、左カバーを給紙デスクの本体フレームに対して傾斜させ、下側フックを突出板に当接させた状態を示す給紙デスクの内側からの斜視図である。
【図８】本発明の一実施形態に係る画像形成装置において、左カバーを給紙デスクの本体フレームに対して傾斜させ、下側フックの嵌合誘導部を突出板に当接させた状態を示す断面図である。
【図９】本発明の一実施形態に係る画像形成装置において、左カバーを給紙デスクの本体フレームに対して傾斜させ、下側フックの段差部を突出板に当接させた状態を示す断面図である。
【図１０】本発明の一実施形態に係る画像形成装置において、左カバーを給紙デスクの本体フレームの方向へ回転させる前の状態を示す断面図である。
【図１１】本発明の一実施形態に係る画像形成装置において、下側フックと突出板、上側フックと嵌合穴の嵌合前の状態を示す断面図である。
【図１２】本発明の一実施形態に係る画像形成装置において、位置決めボスと位置決め穴の嵌合前の状態を示す断面図である。
【図１３】本発明の一実施形態に係る画像形成装置において、下側フックが突出板に嵌合し、上側フックが嵌合穴に嵌合している状態を示す断面図である。
【図１４】本発明の一実施形態に係る画像形成装置において、位置決めボスが位置決め穴に嵌合している状態を示す断面図である。
【図１５】本発明の一実施形態に係る画像形成装置において、左カバーを給紙デスクの本体フレームに取り付けた状態を示す給紙デスクの内面側からの斜視図である。
【発明を実施するための形態】
【００１４】
本発明の一実施形態に係る画像形成装置について、図１〜１５図を参照して説明する。図１は、本発明の一実施形態に係る画像形成装置を示す斜視図である。図２は、本発明の一実施形態に係る画像形成装置において、給紙デスクの内部を示す説明図である。図３は、本発明の一実施形態に係る画像形成装置において、給紙デスク（左カバーを取り外した状態）を示す斜視図である。図４は、本発明の一実施形態に係る画像形成装置において、左カバーを示す内面側からの斜視図である。図５は、図４のＡ−Ａ断面図である。図６は、図５の一部拡大図である。図７は、左カバーを給紙デスクの本体フレームに対して傾斜させ、下側フックを突出板に当接させた状態を示す給紙デスクの内側からの斜視図である。図８は、本発明の一実施形態に係る画像形成装置において、左カバーを給紙デスクの本体フレームに対して傾斜させ、下側フックの嵌合誘導部を突出板に当接させた状態を示す断面図である。図９は、本発明の一実施形態に係る画像形成装置において、左カバーを給紙デスクの本体フレームに対して傾斜させ、下側フックの段差部を突出板に当接させた状態を示す断面図である。図１０は、本発明の一実施形態に係る画像形成装置において、左カバーを給紙デスクの方向へ回転させる前の状態を示す断面図である。図１１は、本発明の一実施形態に係る画像形成装置において、下側フックと突出板及び上側フックと嵌合穴の嵌合前の状態を示す断面図である。図１２は、本発明の一実施形態に係る画像形成装置において、位置決めボスと位置決め穴の嵌合前の状態を示す断面図である。図１３は、本発明の一実施形態に係る画像形成装置において、下側フックが突出板に嵌合し、上側フックが嵌合穴に嵌合している状態を示す断面図である。図１４は、本発明の一実施形態に係る画像形成装置において、位置決めボスが位置決め穴に嵌合している状態を示す断面図である。図１５は、本発明の一実施形態に係る画像形成装置において、左カバーを給紙デスクの本体フレームに取り付けた状態を示す給紙デスクの内面側からの斜視図である。なお、図８〜図１４においては、図４のＡ−Ａ線部分を基準として、断面が表示されている。また、本明細書中においては、カセットカバー及び収納カバーを取り付けた面（図１では右手前側の面）を、機械本体の前面とした場合について説明する。
【００１５】
まず、本発明の画像形成装置の全体構造について説明する。図１に示す如く、画像形成装置としてのカラープリンタ１は、各種機械部品から成る機械本体としての給紙デスク２と、この給紙デスク２の上面１５に載置される装置本体３と、を備えている。
【００１６】
図２に示す如く、給紙デスク２の下部には、転写紙や交換用のトナーコンテナを保管するための収納部４が設けられている。この収納部４には、給紙デスク２の正面側から引き出し可能な収納カセット５が収納されており、この収納カセット５の前面を構成する収納カバー６が、給紙デスク２の前面から露出している（図１参照）。給紙デスク２の上部には、転写紙を装置本体３に搬送するための給紙部７が設けられている。この給紙部７の下部には、装置本体３に搬送される転写紙を収容するための給紙カセット８が収納されており、この給紙カセット８の前面を構成する給紙カバー９が、給紙デスク２の前面から露出している（図１参照）。また、給紙部７の上部前側には、給紙カセット８に収容された転写紙を装置本体３の方向（本実施の形態では上方）に搬送するための給紙ユニット１０が、上端部１１を給紙デスク２の上面１５から突出させた状態で配置されている。
【００１７】
図１に示す如く、給紙デスク２の左側面（図１では左手前側の面）には、給紙デスク２を覆う外装部品としての左カバー１２が取り付けられ、給紙デスク２の右側面には、外装部品としての右カバー（図示せず）が取り付けられている。給紙デスク２の上面１５には、装置本体３の連結穴（図示せず）と係合可能な一対の連結突起１３が突設され、給紙デスク２の底面四隅にはキャスター１４が固定されている。
【００１８】
装置本体３には、いずれも図示を省略するが、感光体ドラムを収納したドラムユニット、感光体ドラムの表面を所定の電圧に帯電させる帯電ユニット、帯電ユニットによって帯電させた感光体ドラムの表面に対して露光を行う露光ユニット、露光ユニットが形成した静電潜像をトナーによりトナー像に現像する現像ユニット、そのトナー像を感光体ドラムと協働して転写紙に転写する転写ユニット、転写紙に転写したトナー像を定着させる定着ユニット等の各ユニットが内設されている。そして、給紙ユニット１０により給紙カセット８から装置本体３の内部へと搬送された転写紙に対して、上記各ユニットを用いて画像形成処理を行う。
【００１９】
また、本実施の形態においては、左カバー１２の給紙デスク２への取付に、本発明に係る外装部品の取付構造が用いられている。以下、この給紙デスク２への左カバー１２の取付構造について説明する。
【００２０】
図３に示す如く、給紙デスク２の左側部には、上枠１６、本体ベース１７及び両側枠１８からなる方形の本体フレーム２０が固定されており、左カバー１２を取り外した状態で、この本体フレーム２０の内側に収納カセット５及び給紙カセット８の側面が露出している。本体ベース１７は、底板２１と、この底板２１から上方に向かって略直角に屈曲された第１の被嵌合部としての突出板２２とからなる（図７参照）。上枠１６は、水平板２３と、この水平板２３から下方に向かって略直角に屈曲された垂直板２４とからなり、垂直板２４には、長さ方向の中央から下方に向かって舌片２５が突設された連結板２６が固定されている。この連結板２６の舌片２５と両側枠１８の上部及び下部には、それぞれ第２の被嵌合部としての嵌合穴２７が穿設されている。また、両側枠１８の上下方向中央部には、それぞれ位置決め孔２８が穿設されている。また、給紙カバー９及び収納カバー６と前面側の両側枠１８の間には挿通溝３０が凹設されている。また、背面カバー１４と背面側の両側枠１８の間には連結溝３１が凹設され、この連結溝３１には、係合突起２９が突設されている。
【００２１】
図４に示す如く、左カバー１２の一端（図４では右端）には、給紙デスク２の連結溝３１と対応する位置に、左カバー１２の内側に向かって湾曲する湾曲部３３が設けられている。また、湾曲部３３の内側縁５７の上部、中央部、下部には、給紙デスク２の係合突起２９と対応する位置に、係合穴５８が穿設された係合片５９が内方に向かって突設されている（図５参照）。左カバー１２の他端（図４では左端）には、給紙デスク２の挿通溝３０と対応する位置に、左カバー１２の内面３２側に向かって略直角に屈曲された屈曲部３４が設けられている。
【００２２】
左カバー１２の内面３２は、縦横に５本ずつ突設された直線状の突条３５により、碁盤目状に区画されている。各横方向の突条３５の両側部には、給紙デスク２の両側枠１８に対応する位置に、凹部状の内側規制部３９が形成されている。また、左カバー１２の内面３２下端の中央部及び両側部には厚肉部３６が形成され、各厚肉部３６の下端は面取りされて、回転補助部３７が形成されている（図６参照）。回転補助部３７は、各下側フック３８（後述）を挟んで各上側フック５０（後述）の反対側の左カバー１２の内面３２に形成されている。
【００２３】
左カバー１２の内面３２下端の中央部及び両側部には、第１の嵌合部としての下側フック３８が、左カバー１２の各厚肉部３６と対向するように突設されている（図６参照）。各下側フック３８は、最下端の横方向の突条３５から下方に向かって三又に分岐する補強リブ４２により、中央部及び両側部が補強されている。
【００２４】
図６に示す如く、各下側フック３８は、左カバー１２の内面３２から水平方向に延出する水平部４３と、この水平部４３から下方に向かって垂直に屈曲された第１の外側規制部４７と、この第１の外側規制部４７の先端から左カバーに対して内方に拡がるように傾斜して形成された嵌合誘導部４５と、嵌合誘導部４５と第１の外側規制部４７の間に形成された段差部４６と、を備えている。第１の外側規制部４７は、左カバーの内面３２に形成された対向面４０と略平行に形成されている。嵌合誘導部４５は、この嵌合誘導部４５と左カバー１２の対向面４０との対向間隔が、基端部（本実施の形態では上端部）から先端部（本実施の形態では下端部）に向かって広くなるように傾斜して形成されている。段差部４６は、嵌合誘導部４５よりも対向面４０に対する傾斜角度が大きくなるように段差状に形成されている。
【００２５】
図４に示す如く、左カバー１２の内面３２には、中央部の上部及び両側部の上部及び下部に、第２の嵌合部としての上側フック５０が、給紙デスク２の各嵌合穴２７と対応する位置に突設されている。各上側フック５０は、左カバー１２の内面３２から水平方向に突出する基端部５１と、この基端部５１から下方に向かって略垂直に屈曲された先端部５２とを備えており、この先端部５２の内面に第２の外側規制部４９が形成されている（図６参照）。また、左カバー１２の内面３２の両側部の上下方向中央部には、給紙デスク２の位置決め孔２８と対応する位置に、位置決めボス５３が突設されている。また、左カバー１２の内面３２の中央部の上下左右には、本体フレーム２０の内側に露出する収納カセット５及び給紙カセット８の側面（図３参照）と対応する位置に、突当部５４が突設されている。
【００２６】
上述の如く構成されたものにおいて、左カバー１２を給紙デスク２に対して取り付ける作用について以下に説明する。まず、図７に示す如く、左カバー１２を給紙デスク２の本体フレーム２０に対して傾斜させた状態で保持し、図８に示す如く、本体ベース１７の突出板２２の上端５５に、各下側フック３８の嵌合誘導部４５を引掛け、当接させる。その際、嵌合誘導部４５は、第１の外側規制部４７の先端から左カバーに対して内方に拡がるように傾斜して形成されているため、突出板２２の上端５５に誘い込み易くなる。
【００２７】
次に、各下側フック３８の嵌合誘導部４５を本体ベース１７の突出板２２に沿って摺動させ、図９に示す如く、段差部４６を突出板２２の上端５５に当接させる。その際、厚肉部３６の回転補助部３７が、給紙デスク２の突出板２２の外面５６と当接して、突出板２２の上端５５に対する各下側フック３８の当接位置を規定するため、突出板２２の上端５５を各下側フック３８の所定の位置（本実施例では、段差部４６）に確実に当接させることが可能となる。このように突出板２２が段差部４６に当接すると、この当接部分を中心として、左カバー１２が給紙デスク２に回転自在に軸支される。
【００２８】
次に、図１０に矢印で示す如く、本体ベース１７の突出板２２と各下側フック３８との当接箇所を支点に左カバー１２を給紙デスク２の本体フレーム２０側に回動させ、左カバー１２を給紙デスク２の本体フレーム２０に対して略平行に配置する。その際、図１１に示す如く、本実施の形態では、嵌合誘導部４５と第１の外側規制部４７の間に段差部４６が形成されているため、突出板２２の上端５５が係止され、各下側フック３８と突出板２２の上端５５との係合位置が嵌合誘導部４５側にずれてしまうおそれがない。
【００２９】
左カバー１２の回転に伴って、各上側フック５０は、各下側フック３８と突出板２２の当接部分を中心として、各嵌合穴２７との嵌合不能位置（図１０参照）から各嵌合穴２７との嵌合可能位置まで回転し、各上側フック５０の先端部５２の下端が、各嵌合穴２７の下端部分において、舌片２５、両側枠１８と当接する。また、この時、図１２に示す如く、左カバー１２の位置決めボス５３は、本体フレーム２０の位置決め孔２８の上部近傍まで変位する。
【００３０】
この状態で、左カバー１２の外面を押圧しつつ下方にスライドさせると、図１３に示す如く、各下側フック３８の第１の外側規制部４７が本体ベース１７の突出板２２の内面に接触して、各下側フック３８が突出板２２に嵌合すると同時に、各上側フック５０の第２の外側規制部４９が給紙デスク２の両側板１８の内面に接触して、各上側フック５０が各嵌合穴２７に嵌合し、左カバー１２の外側への動きが規制される。また、この時、左カバー１２の内側規制部３９が給紙デスク２の両側枠１８の外面に当接し、左カバー１２の内側への動きが規制され、これにより、第１の外側規制部４７及び第２の外側規制部４９と内側規制部３９との間に左カバー１２が挟持される。さらに、位置決めボス５３が、位置決め孔２８に嵌合し、左カバー１２の湾曲部３３が給紙デスク２の連結溝３１に係合して各係合片５９の係合穴５８が係合突起２９に係合するとともに、左カバー１２の屈曲部３４が給紙デスク２の挿通溝３０に係合する。これにより、図１５に示す如く、左カバー１２の給紙デスク２への取付が完了する。
【００３１】
上記した本発明の実施の形態によれば、段差部４６と突出板２２との当接箇所を支点に左カバー１２を給紙デスク２側に回転させることにより、各上側フック５０と各嵌合穴２７との嵌合位置の位置決めを容易に行うことができる。また、突出板２２に対して嵌合誘導部４５、段差部４６、第１の外側規制部４７を順次段階的に嵌合させ、各下側フック３８が突出板２２に嵌合するのと同時に、各上側フック５０が各嵌合穴２７に嵌合されるようになっているため、左カバー１２の給紙デスク２への取付作業の作業性と左カバー１２の給紙デスク２への取付強度とを同時に高めることが可能となる。
【００３２】
また、上記した本発明の実施の形態では、各下側フック３８と突出板２２、各上側フック５０と各嵌合穴２７が、それぞれ上下方向に嵌合する一方、位置決めボス５３と位置決め孔２８は各上側フック５０と各嵌合穴２７の嵌合方向と交差する左右方向に嵌合するようになっているため、左カバー１２に上側の力が作用しても給紙デスク２から簡単に脱落することがなく、左カバー１２の給紙デスク２に対する取付強度を一層高めることが可能となる。
【００３３】
なお、本実施の形態においては、嵌合誘導部４５と第１の外側規制部４７との間に段差部４６を設けたが、他の異なる実施の形態においては、段差部４６を設けなくても良い。この場合には、嵌合誘導部４５に突出板２２の上端５５を当接させた状態で、左カバー１２の回転が行われる。
【００３４】
また、本実施の形態においてはこのように、左カバー１２の給紙デスク２への取付に本発明の外装部品の取付構造を適用したが、他の異なる実施の形態においては、背面カバー、右カバー等、給紙デスク２を覆う他の外装カバーに本発明の外装部品の取付構造を適用することも可能である。また、給紙デスク２に限らず、画像形成装置内に配置されたあらゆる機械本体（例えば、本実施の形態の装置本体３）とその外装部品（例えば、カバーや操作パネル）に対して、本発明の外装部品の取付構造を適用することが可能である。更に、本発明の外装部品の取付構造は、画像形成装置以外のあらゆる技術分野において使用することができる。
【符号の説明】
【００３５】
１  カラープリンタ（画像形成装置）
２  給紙デスク（機械本体）
１２  左カバー（外装部品）
２２  突出板（第１の被嵌合部）
２７  嵌合穴（第２の被嵌合部）
２８  位置決め孔
３２  内面
３７  回転補助部
３８  下側フック（第１の嵌合部）
３９  内側規制部
４０  対向面
４５  嵌合誘導部
４６  段差部
４７  第１の外側規制部
４９  第２の外側規制部
５０  上側フック（第２の嵌合部）
５３  位置決めボス
５５  上端
５６  外面
【図１】
2012008469.tif 000003
【図２】
2012008469.tif 000004
【図３】
2012008469.tif 000005
【図４】
2012008469.tif 000006
【図５】
2012008469.tif 000007
【図６】
2012008469.tif 000008
【図７】
2012008469.tif 000009
【図８】
2012008469.tif 000010
【図９】
2012008469.tif 000011
【図１０】
2012008469.tif 000012
【図１１】
2012008469.tif 000013
【図１２】
2012008469.tif 000014
【図１３】
2012008469.tif 000015
【図１４】
2012008469.tif 000016
【図１５】
2012008469.tif 000017